(57)【要約】【課題】接着剤によって側壁に短時間で容易に直接施工できるだけでなく、断熱性、衝撃吸収性能、デザイン性などに優れた、建築物内の側壁用腰板を提供する。【解決手段】笠木と幅木との間に１以上のコルク板が挟持されて、建築物内の側壁に取り付けられてなる腰板である。コルク板は、各コルク板間にコルク板の伸び縮みのための目地を有するものであって良い。また、コルク板としては、ポリウレタン樹脂被覆コルク板或いはワックスコートコルク板であることが好ましい。【選択図】図１
0003123235.tif 000002
【実用新案登録請求の範囲】
【請求項１】
笠木と幅木との間に１以上のコルク板が挟持されて、建築物内の側壁に取り付けられてなること、を特徴とする腰板。
【請求項２】
前記コルク板が、各コルク板間にコルク板の伸び縮みのための目地を有する２以上のコルク板からなる、請求項１に記載の腰板。
【請求項３】
前記側壁上の前記目地が形成される表面に、該表面をすべて覆うように前記コルク板と同系色の表面を有する目地底シート材を設けてなる、請求項２に記載の腰板。
【請求項４】
前記側壁上の前記目地に、前記コルク板と同系色の表面を有する目地材を設けてなる、請求項２に記載の腰板。
【請求項５】
前記コルク板が、第１のコルク板の表面の一部に１以上の枠を備え、該枠内に第２のコルク板を備えてなる、請求項１〜４のいずれか一項に記載の腰板。
【請求項６】
前記コルク板が、ポリウレタン樹脂被覆コルク板である、請求項１〜５のいずれか一項に記載の腰板。
【請求項７】
前記コルク板が、ワックスコートコルク板である、請求項１〜５のいずれか一項に記載の腰板。
【考案の詳細な説明】
【技術分野】
【０００１】
本考案は、断熱性や衝撃吸収性能などに優れた、建築物内の側壁腰板に関する。
【背景技術】
【０００２】
建築物内の側壁には、側壁保護や室内の美観などのため、腰板が設けられている。具体的には例えば、施工を短時間で容易に行うことのできる、裏打板と人大板との複合構造の腰板用パネルが知られている（特許文献１参照。）。この腰板用パネルは、裏打板の一部を建築物側壁に釘打ちして取り付ける構成である。
【特許文献１】特開２０００−０７３５１３号公報
【考案の開示】
【考案が解決しようとする課題】
【０００３】
しかしながら、このような前記従来公知の腰板用パネルは可撓性に乏しい木材などの木質系の板などで構成されているため、釘などにより側壁に取り付け施工する手間がかかる。
また近年、介護施設等の増加とその品質の高度化の要望により、施設内側壁にも車いすやペットなどに対応することのできるよう様々な高度の性能が求められている。
【０００４】
本考案の目的は、接着剤によって側壁に短時間で容易に直接施工できるだけでなく、断熱性、衝撃吸収性能、デザイン性などに優れた、建築物内の側壁用腰板を提供することである。
【課題を解決するための手段】
【０００５】
前記目的を達成するため、本考案は次の（１）〜（７）である。
（１）  笠木と幅木との間に１以上のコルク板が挟持されて、建築物内の側壁に取り付けられてなること、を特徴とする腰板。
（２）  前記コルク板が、各コルク板間にコルク板の伸び縮みのための目地を有する２以上のコルク板からなる、前記（１）の腰板。
（３）  前記側壁上の前記目地が形成される表面に、該表面をすべて覆うように前記コルク板と同系色の表面を有する目地底シート材を設けてなる、前記（２）の腰板。
（４）  前記側壁上の前記目地に、前記コルク板と同系色の表面を有する目地材を設けてなる、前記（２）の腰板。
（５）  前記コルク板が、第１のコルク板の表面の一部に１以上の枠を備え、該枠内に第２のコルク板を備えてなる、前記（１）〜（４）のいずれかの腰板。
（６）  前記コルク板が、ポリウレタン樹脂被覆コルク板である、前記（１）〜（５）のいずれかの腰板。
（７）  前記コルク板が、ワックスコートコルク板である、前記（１）〜（５）のいずれかの腰板。
【考案の効果】
【０００６】
本考案により初めて、接着剤によって側壁に短時間で容易に直接施工できるだけでなく、断熱性、衝撃吸収性能、デザイン性などに優れた、建築物内の側壁用腰板を提供することが可能となった。
【考案を実施するための最良の形態】
【０００７】
以下、本考案の実施の形態を図面に基づいて説明する。
図１は、建築物内の側壁に本考案の第１実施例の腰板を設置した状況を示す外観図である。図２は、図１の建築物内の側壁用腰板のＡ−Ａ線側断面図である。図３は、図１の建築物内の側壁用腰板のＢ−Ｂ線側断面図である。
【０００８】
図１に示す本考案の第１実施例の側壁用腰板１は、笠木２と幅木３との間に複数枚のポリウレタン樹脂被覆コルク板４が挟持されて、建築物内の側壁５０に取り付けられてなる。
【０００９】
ポリウレタン樹脂被覆コルク板４は、コルク板の表面をポリウレタン樹脂で被覆して、強度や耐久性などを改善したものである。本実施例において、ポリウレタン樹脂被覆コルク板４は互いにコルク板同士の伸び縮み幅に対応する目地８を形成するように、笠木２と床５１上の幅木３との間に挟持されており、目地底テープ７を介して或いは直接に建築物内の側壁５０に接着剤によって取り付けられている。
笠木２と幅木３の表面側のポリウレタン樹脂被覆コルク板４を挟持する端部には、ポリウレタン樹脂被覆コルク板４が表面側に離脱しないように、笠木２の止め部５と幅木３の止め部６が形成されている。笠木２と幅木３の裏面側は、ポリウレタン樹脂被覆コルク板４と共に、建築物内の側壁５０に接着剤により取り付けられている。
目地底テープ７の表面は、ポリウレタン樹脂被覆コルク板４と同系色に着色されて目地８を目立たなくして、腰板１のデザイン性を確保している。目地底テープ７の裏面は、ポリウレタン樹脂被覆コルク板４の目地８が形成される側壁５０の部位に、目地幅よりやや広い幅だけ側壁５０を覆うように、接着されている。
【００１０】
側壁５０の表面色調がポリウレタン樹脂被覆コルク板４の色調と違和感がない場合、本実施例の他の態様では、ポリウレタン樹脂被覆コルク板４の目地８が形成される側壁５０の部位に、目地底テープ７が設けられておらず、笠木２と幅木３とポリウレタン樹脂被覆コルク板４が直接に建築物内の側壁５０に接着剤により取り付けられている。
【００１１】
本実施例の更に他の態様では、ポリウレタン樹脂被覆コルク板４は、ポリウレタン樹脂が被覆されていないコルク板或いはワックスがコートされたコルク板である。
【００１２】
図４は、建築物内の側壁に本考案の第２実施例の腰板を設置した状況を示す外観図である。図５は、図４の建築物内の側壁用腰板のＡ′−Ａ′線側断面図である。
【００１３】
図４に示す本考案の第２実施例の腰板１′は、笠木２と幅木３との間に第１実施例におけるものよりやや小さい複数枚のポリウレタン樹脂被覆コルク板４が互いにコルク板同士の伸び縮み幅に対応する目地（空間）８を形成するように横長に挟持されて、建築物内の側壁５０に取り付けられてなる。
【００１４】
目地（空間）８には、ポリウレタン樹脂被覆コルク板４が側壁５０に取り付けられた後に、目地材７′が側壁５０に直接に接着剤によって取り付けられている。目地材７′の表面は、ポリウレタン樹脂被覆コルク板４と同系色に着色されて目地（空間）８を目立たなくして、腰板１のデザイン性を確保している。
ポリウレタン樹脂被覆コルク板４と止め部５付き笠木２と止め部６付き幅木３は、第１実施例におけるものと同じである。
【００１５】
ポリウレタン樹脂被覆コルク板４がかなり小さいものである場合、ポリウレタン樹脂被覆コルク板４それぞれは伸び縮みが少ないため、本実施例の他の態様では、目地（空間）８と目地材７′が設けられていない。
【００１６】
側壁５０の表面色調がポリウレタン樹脂被覆コルク板４の色調と違和感がない場合、本実施例の更に他の態様では、ポリウレタン樹脂被覆コルク板４の目地（空間）８に、目地材７′が設けられていない。
【００１７】
本実施例の前記態様とは別の態様では、ポリウレタン樹脂被覆コルク板４は、ポリウレタン樹脂が被覆されていないコルク板或いはワックスがコートされたコルク板である。
【００１８】
図６は、建築物内の側壁に本考案の第３実施例の腰板を設置した状況を示す外観図である。図７は、図６の建築物内の側壁用腰板のＡ″−Ａ″線側断面図である。図８は、図６の建築物内の側壁用腰板のＢ′−Ｂ′線側断面図である。
【００１９】
図６に示す本考案の第３実施例の腰板１″は、第１実施例の側壁用腰板１において、（第１の）ポリウレタン樹脂被覆コルク板４の表面中央部に更に、枠９付き（第２の）ポリウレタン樹脂被覆コルク板４′が取り付けられたものである。
【００２０】
第２のポリウレタン樹脂被覆コルク板４′は、第１のポリウレタン樹脂被覆コルク板４より小さく、枠９内にピッタリ収まるものであり、第１のポリウレタン樹脂被覆コルク板４の表面上の枠９内に枠９と共に接着剤によって取り付けられている。
【００２１】
本実施例の他の態様では、装飾のため、第１実施例の側壁用腰板１において、（第１の）ポリウレタン樹脂被覆コルク板４の表面中央部に更に、枠９付き（第２の）ポリウレタン樹脂被覆コルク板４′が２個以上取り付けられている（図示省略）。
【００２２】
本実施例の更に他の態様では、ポリウレタン樹脂被覆コルク板４は、ポリウレタン樹脂が被覆されていないコルク板或いはワックスがコートされたコルク板である。
【図面の簡単な説明】
【００２３】
【図１】建築物内の側壁に本考案の第１実施例の腰板を設置した状況を示す外観図である。
【図２】図１の建築物内の側壁用腰板のＡ−Ａ線側断面図である。
【図３】図１の建築物内の側壁用腰板のＢ−Ｂ線側断面図である。
【図４】建築物内の側壁に本考案の第２実施例の腰板を設置した状況を示す外観図である。
【図５】図４の建築物内の側壁用腰板のＡ′−Ａ′線側断面図である。
【図６】建築物内の側壁に本考案の第３実施例の腰板を設置した状況を示す外観図である。
【図７】図６の建築物内の側壁用腰板のＡ″−Ａ″線側断面図である。
【図８】図６の建築物内の側壁用腰板のＢ′−Ｂ′線側断面図である。
【符号の説明】
【００２４】
１、１′、１″  腰板
２  笠木
３  幅木
４、４′  ポリウレタン樹脂被覆コルク板
５  笠木の止め部
６  幅木の止め部
７  目地底テープ
７′  目地材
８  目地（空間）
９  枠
【図１】
0003123235.tif 000003
【図２】
0003123235.tif 000004
【図３】
0003123235.tif 000005
【図４】
0003123235.tif 000006
【図５】
0003123235.tif 000007
【図６】
0003123235.tif 000008
【図７】
0003123235.tif 000009
【図８】
0003123235.tif 000010